(57)【要約】  【課題】スクリード加熱装置の燃焼装置が消火するのとほぼ同時にブロワモータの駆動を停止したときに、スクリードプレート側の熱気がブロワモータへ逆流するのを防止してブロワモータが損傷しないようにする。  【解決手段】燃焼装置１２とブロワモータ１４とを接続しているダクト１３内にフラップ１５を開閉自在に配置し、ダクト１３の天井面にフラップの枢着部１５ａを設ける。ブロワモータ１４からの送風がないときは、フラップ１５が垂下してダクト１３を閉止し、ブロワモータ１４からの送風が所定量を超えたときにフラップ１５が跳ね上げられてダクト１３を開放するように形成する。【選択図】図１
2008196129.tif 000002
【特許請求の範囲】
【請求項１】
燃焼装置と、該燃焼装置にダクトを介して接続されたブロワモータとを備え、燃焼装置で発生する熱気を、前記ブロワモータからの送風によりスクリードプレートへ送って加熱するスクリード加熱装置において、
前記ダクト内にフラップを開閉自在に設け、該フラップは、ブロワモータからの送風がないときはダクトを閉止し、ブロワモータからの送風が所定量を超えたときにダクトを開放するように形成したことを特徴とするスクリード加熱装置における逆流防止装置。
【請求項２】
上記ダクトの少なくとも上記フラップ近傍部分は略水平に設置され、該ダクトの天井面またはその近傍位置に上記フラップの枢着部を設けて該フラップを垂下し、ブロワモータからの送風がないときは該フラップが自重でダクトを閉止し、ブロワモータからの送風が所定量を超えたときに該フラップが燃焼装置側へ跳ね上げられてダクトを開放するように形成したことを特徴とする請求項１記載のスクリード加熱装置における逆流防止装置。
【請求項３】
上記ダクトには上記燃焼装置と上記フラップとの間に排気口を開口し、上記ブロワモータからの送風でフラップが開放されたときに該フラップで排気口が閉塞されるように形成したことを特徴とする請求項１または２記載のスクリード加熱装置における逆流防止装置。
【発明の詳細な説明】
【技術分野】
【０００１】
本発明はスクリード加熱装置における逆流防止装置に関するものであり、特に、ブロワモータの回転を止めたときにスクリードプレート側の熱気がブロワモータへ逆流するのを防止する装置に関するものである。
【背景技術】
【０００２】
従来、アスファルトフィニッシャのスクリード加熱装置は、熱気を発生する燃焼装置と、該燃焼装置にダクトを介して接続されたブロワモータとを備え、燃焼装置で発生する熱気を、前記ブロワモータからの送風によりスクリードプレートへ送って加熱するように構成されている。そして、スクリードプレートが一定温度に加熱されると燃焼装置を一旦消火し、スクリードプレートが所定温度まで低下すると再び燃焼装置を点火して加熱を再開する。このように、スクリード加熱装置では、燃焼装置の点火と消火を繰り返して無駄な燃焼を抑止している。
【０００３】
燃焼装置の点火と消火に連動してブロワモータも回転と停止を行えばよいが、スクリードプレートが高温まで加熱されているので、消火と同時にブロワモータを停止させると、スクリードプレート側の熱気がダクトを通ってブロワモータへ逆流し、この熱気でブロワモータが損傷するおそれがある。
【０００４】
燃焼装置の消火後も一定時間だけブロワモータからの送風を継続し、スクリードプレート側の熱気がブロワモータへ逆流するのを防止する方法もあるが、燃焼装置を消火した状態でブロワモータからの送風を続けると、適温に加熱されているスクリードプレートが冷却してしまい、効率を低下させることになる。
【０００５】
この不具合を解消するために、燃焼装置とブロワモータの間のダクト内にシャッターを設け、燃焼装置の点火と消火に連動してシャッターモータを駆動し、燃焼装置が消火されるとシャッターが閉じて、スクリードプレート側の熱気の逆流を防止した装置が知られている（例えば、特許文献１参照）。
【特許文献１】特開２００６−１８３３０１号公報。
【発明の開示】
【発明が解決しようとする課題】
【０００６】
特許文献１記載の発明は、燃焼装置の点火と消火に連動してシャッターを開閉するので、燃焼装置が消火されたときにブロワモータを停止しても、自動的にシャッターが閉じてスクリードプレート側の熱気がブロワモータに入り込むことを防止できる。しかし、モータの駆動でシャッターを開閉するため、構成が複雑になるとともにコスト高となる。
【０００７】
そこで、簡単かつ安価な構成で、スクリード加熱装置の燃焼装置が消火するのとほぼ同時にブロワモータの駆動を停止したときに、スクリードプレート側の熱気がブロワモータへ逆流するのを防止してブロワモータが損傷しないようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、燃焼装置と、該燃焼装置にダクトを介して接続されたブロワモータとを備え、燃焼装置で発生する熱気を、前記ブロワモータからの送風によりスクリードプレートへ送って加熱するスクリード加熱装置において、前記ダクト内にフラップを開閉自在に設け、該フラップは、ブロワモータからの送風がないときはダクトを閉止し、ブロワモータからの送風が所定量を超えたときにダクトを開放するように形成したことを特徴とするスクリード加熱装置における逆流防止装置を提供する。
【０００９】
この構成によれば、燃焼装置が点火されるとブロワモータが回転駆動し、該ブロワモータからの送風によってフラップが回動してダクトを開放する。この送風により燃焼装置で発生する熱気がスクリードプレートへ送られて、スクリードプレートが加熱される。燃焼装置が消火されると、これと同時にブロワモータが停止して送風が止まり、フラップが元の位置へ回動してダクトを閉止する。したがって、スクリードプレート側の熱気がブロワモータへ逆流するのを防止する。
【００１０】
請求項２記載の発明は、上記ダクトの少なくとも上記フラップ近傍部分は略水平に設置され、該ダクトの天井面またはその近傍位置に上記フラップの枢着部を設けて該フラップを垂下し、ブロワモータからの送風がないときは該フラップが自重でダクトを閉止し、ブロワモータからの送風が所定量を超えたときに該フラップが燃焼装置側へ跳ね上げられてダクトを開放するように形成したことを特徴とする請求項１記載のスクリード加熱装置における逆流防止装置を提供する。
【００１１】
この構成によれば、ダクトの内側に設けたフラップは、ブロワモータからの送風の有無によって開閉する。すなわち、ブロワモータからの送風がないときは、フラップが自重で垂下状態となってダクトが閉止され、ブロワモータからの送風が所定量を超えたときは、フラップが送風によって燃焼装置側へ跳ね上げられてダクトが開放される。
【００１２】
請求項３記載の発明は、上記ダクトには上記燃焼装置と上記フラップとの間に排気口を開口し、上記ブロワモータからの送風でフラップが開放されたときに該フラップで排気口が閉塞されるように形成したことを特徴とする請求項１または２記載のスクリード加熱装置における逆流防止装置を提供する。
【００１３】
この構成によれば、燃焼装置とフラップとの間に開穿されている排気口は、ブロワモータからの送風によりフラップが跳ね上げられたときに該フラップで閉塞され、ブロワモータからの送風が燃焼装置へ送られる。一方、ブロワモータの送風が停止するとフラップが垂下してダクトが閉止され、排気口が開口するため、スクリードプレート側の熱気が該排気口からダクトの外部へ排出される。
【発明の効果】
【００１４】
請求項１記載の発明は、燃焼装置が点火されるとブロワモータからの送風によってフラップが回動してダクトを開放し、燃焼装置が消火されるとブロワモータからの送風が止まってフラップがダクトを閉止するので、燃焼装置が消火された直後にブロワモータの駆動を停止しても、スクリードプレート側の熱気の逆流を防止して熱気の入り込みによるブロワモータの損傷を防止できる。
【００１５】
また、燃焼装置の消火直後にブロワモータの送風を停止するので、送風によるスクリードプレートの温度低下がなくなり、熱効率の改善が図れるとともに省エネに寄与できる。
【００１６】
請求項２記載の発明は、ブロワモータからの送風の有無によってフラップが自動的に開閉するので、シャッター開閉用のモータ等の駆動装置が不要となり、構成が簡素化されてコストダウンに寄与できる。
【００１７】
請求項３記載の発明は、燃焼装置とフラップとの間に排風口を開口し、フラップの開閉によって排風口を開閉するので、フラップ開放時のブロアモータからの送風と、フラップ閉止時のスクリードプレート側の熱気の排出が、それぞれ自動的かつ円滑に行われる。
【発明を実施するための最良の形態】
【００１８】
以下、本発明に係るスクリード加熱装置における逆流防止装置について、好適な実施例をあげて説明する。スクリード加熱装置の燃焼装置の消火とほぼ同時にブロワモータの駆動を停止したときに、スクリードプレート側の熱気の逆流を防止してブロワモータの損傷を防止するという目的を達成するために、燃焼装置と、該燃焼装置にダクトを介して接続されたブロワモータとを備え、燃焼装置で発生する熱気を、前記ブロワモータからの送風によりスクリードプレートへ送って加熱するスクリード加熱装置において、前記ダクト内にフラップを開閉自在に設け、該フラップは、ブロワモータからの送風がないときはダクトを閉止し、ブロワモータからの送風が所定量を超えたときにダクトを開放するように形成したことを特徴とするスクリード加熱装置における逆流防止装置を提供する。
【実施例１】
【００１９】
図１はスクリード加熱装置１０の概略構成図であり、該スクリード加熱装置１０は、スクリードプレート１１の上部に設けられた燃焼装置１２と、該燃焼装置１２にダクト１３を介して接続されたブロワモータ１４とを備え、該ブロワモータ１４からダクト１３を通して燃焼装置１２へ送風することにより、燃焼装置１２で発生する熱気をスクリードプレート１１へ送って、スクリードプレート１１を加熱するものである。
【００２０】
前記ダクト１３の一端はブロワモータ１４の排風口１４ａに接続され、ダクト１３の他端は燃焼装置１２の吸気口１２ａに接続されている。該ダクト１３の内部にはフラップ１５が開閉自在に設けられ、該フラップ１５によってダクト１３内の通風を開閉自在に形成する。また、該ダクト１３の少なくとも前記フラップ１５近傍部分は略水平に設置されており、燃焼装置１２とフラップ１５との間に排風口１６を開口する。本実施例では、該排気口１６をダクト１３の天井面に開口し、排気口の下端面１６ａをダクト１３の内部へ突出させて、後述するように、フラップ１５が跳ね上げられたときに、該フラップ１５が排気口の下端面１６ａに当接するように形成してある。
【００２１】
図２はダクト１３のフラップ１５近傍部分の縦断面図、図３は図２のＡ−Ａ断面図である。ダクト１３の天井面（あるいは天井面の近傍位置）１３ａにフラップ１５の枢着部１５ａを設けて、該フラップ１５を回動自在に垂下してある。また、フラップ１５が垂下されたダクト１３の底面１３ｂには、フラップ１５が垂下された近傍位置からブロワモータ１４側にストッパプレート１７が固設されている。
【００２２】
前記フラップ１５には、特にモータなどの駆動手段を設けてなく、ブロワモータ１４からの送風がないときは、図示したように、フラップ１５が自重で垂下して前記ストッパプレート１７に当接し、フラップ１５がダクト１３を閉止した状態で、それ以上ブロワモータ１４側へ回動しないように係止されている。なお、図示は省略するが、フラップ１５の枢着部１５ａを天井面あるいはその近傍以外の位置、例えばダクト１３の側面などに設けることもでき、その場合は、スプリングなど適宜な付勢手段でフラップ１５を戻してダクト１３を閉止する。
【００２３】
すなわち、燃焼装置１２の燃焼が行われず、ブロワモータ１４が回転しないときは、フラップ１５が閉位置にあるため、ダクト１３の通路が閉じられて、燃焼装置１２側とブロワモータ１４側との通気が遮断される。
【００２４】
燃焼装置１２が点火されるとブロワモータ１４が回転し、図２の二点鎖線で示すように、該ブロワモータ１４からの送風により、フラップ１５が燃焼装置１２側へ回動してダクト１３を開放し始める。
【００２５】
そして、ブロワモータ１４からの送風が所定量を超えたときに、図４に示すように、フラップ１５が燃焼装置１２側へ跳ね上げられてダクト１１が最大に開放される。このとき、跳ね上げられたフラップ１５が前記排気口の下端面１６ａに当接し、フラップ１５で排気口１６が閉塞される。したがって、ブロワモータ１４からの送風が、排気口１６から外部へ漏れることなく全量が燃焼装置１２へ送風され、燃焼装置１２で発生する熱気がスクリードプレート１１へ送られて、スクリードプレート１１が加熱される。
【００２６】
ここで、スクリードプレート１１が一定温度に加熱されると燃焼装置１２を一旦消火し、これと同時に、ブロワモータ１４の回転を停止して送風が止まる。したがって、図５に示すように、フラップ１５が自重で元の位置へ回動し、ストッパプレート１７に当接して、フラップ１５がダクト１３を閉止する。そして、前記排気口１６が再び開口する。
【００２７】
このとき、スクリードプレート１１側の熱気が燃焼装置１２からダクト１３に進入した場合は、フラップ１５がダクト１３を閉止しているので、熱気がブロワモータ１４側へ逆流するのを防止し、熱気は前記排気口１６から外部へ排出される。
【００２８】
このように、燃焼装置１２が点火されるとブロワモータ１４からの送風によりフラップ１５が回動してダクト１３を開放し、燃焼装置１２が消火されるとブロワモータ１４からの送風が止まってフラップ１５がダクト１３を閉止するので、燃焼装置１２が消火された直後にブロワモータ１４の駆動を停止しても、スクリードプレート１１側の熱気がブロワモータ１４に逆流するのを阻止でき、熱気の入り込みによるブロワモータの損傷を防止できる。
【００２９】
なお、本発明は、本発明の精神を逸脱しない限り種々の改変を為すことができ、そして、本発明が該改変されたものに及ぶことは当然である。
【図面の簡単な説明】
【００３０】
【図１】本発明に係るスクリード加熱装置の概略構成図。
【図２】図１に示したダクトのフラップ近傍部分の縦断面図。
【図３】図２のＡ−Ａ断面図。
【図４】図２のフラップが跳ね上げられた状態を示すダクトの縦断面図。
【図５】図４のフラップが閉止した状態を示すダクトの縦断面図。
【符号の説明】
【００３１】
１０    スクリード加熱装置
１１    スクリードプレート
１２    燃焼装置
１３    ダクト
１３ａ  天井面
１４    ブロワモータ
１５    フラップ
１５ａ  枢着部
１６    排気口
１６ａ  下端面
１７    ストッパプレート
【図１】
2008196129.tif 000003
【図２】
2008196129.tif 000004
【図３】
2008196129.tif 000005
【図４】
2008196129.tif 000006
【図５】
2008196129.tif 000007